(57)【要約】【課題】建物の出隅と入隅でのシーリングレス工法に対応でき、施工が容易で止水性と外観品質に優れた建物外壁を構築する。【解決手段】本発明の建物外壁の接合具１は、サイディングボード２を使用した建物１２の出隅１５ａでの外壁工事に使用でき、第１目地３Ａの内方に形成される第１受入れ凹部４Ａに対して、少なくともその一部が入り込んだ状態で配置される第１嵌合凸部５Ａと、第２目地３Ｂの内方に形成される第２受入れ凹部４Ｂに対して、少なくともその一部が入り込んだ状態で配置される第２嵌合凸部５Ｂと、コーナー部用下地材２０の第１側面２０ａに沿うように配置される第１翼板１０ａと、コーナー部用下地材２０の第２側面２０ｂに沿うように配置される第２翼板１０ｂと、が山折れ状態で連結されている出隅用取付け座板１０Ａと、を備え、第１嵌合凸部５Ａと第２嵌合凸部５Ｂと出隅用取付け座板１０Ａは一体部材によって構成されている。【選択図】  図３
2018066169.tif 000002
【特許請求の範囲】
【請求項１】
第１の方向に延びる第１ボード片と第２の方向に延びる第２ボード片とが交差された状態で配置されるコーナー部用サイディングボードと、上記第１ボード片の端部に第１目地を介して接合される第１平面部用サイディングボードと、上記第２ボード片の端部に第２目地を介して接合される第２平面部用サイディングボードと、を建物の出隅に配置されるコーナー部用下地材の外面に取り付ける場合に使用される建物外壁の接合具であって、
上記第１目地の内方に形成される第１受入れ凹部に対して、少なくともその一部が入り込んだ状態で配置される第１嵌合凸部と、
上記第２目地の内方に形成される第２受入れ凹部に対して、少なくともその一部が入り込んだ状態で配置される第２嵌合凸部と、
上記第１目地と対向するコーナー部用下地材の第１側面に沿うように配置される第１翼板と、上記第２目地と対向するコーナー部用下地材の第２側面に沿うように配置される第２翼板と、が山折れ状態で連結されている出隅用取付け座板と、を備え、
上記第１嵌合凸部と第２嵌合凸部と出隅用取付け座板は一体部材によって構成されていることを特徴とする建物外壁の接合具。
【請求項２】
第１の方向に延びる第１平面部用サイディングボードと第２の方向に延びる第２平面部用サイディングボードを、それぞれの端部に形成される第３目地を介して交差させた状態で建物の入隅に配置されるコーナー部用下地材から上記第１の方向に延びている第１補助下地材と上記第２の方向に延びている第２補助下地材のそれぞれの外面に取り付ける場合に使用される建物外壁の接合具であって、
上記第３目地の内方に形成される第３受入れ凹部に対して、少なくともその一部が入り込んだ状態で配置される第３嵌合凸部と、
上記第１補助下地材の外面に沿うように配置される第１翼板と、上記第２補助下地材の外面に沿うように配置される第２翼板と、が谷折れ状態で連結されている入隅用取付け座板と、を備え、
上記第３嵌合凸部と入隅用取付け座板は一体部材によって構成されていることを特徴とする建物外壁の接合具。
【請求項３】
上記第１嵌合凸部及び第２嵌合凸部と第３嵌合凸部は、上記出隅用取付け座板または上記入隅用取付け座板と同じ単一の板状部材をコの字状に折り曲げることによって形成されていて、
上記コの字状に折り曲げられた第１嵌合凸部及び第２嵌合凸部と第３嵌合凸部のそれぞれの外方には上記第１受入れ凹部及び第２受入れ凹部との間または第３受入れ凹部との間に止水材を配置するための空間が形成されていることを特徴とする請求項１または２記載の建物外壁の接合具。
【請求項４】
上記空間は、配置する前の上記止水材の厚さよりも小さめに形成されており、上記止水材を配置するときに該止水材が圧縮された状態で収容される大きさに形成されていることを特徴とする請求項３記載の建物外壁の接合具。
【請求項５】
上記建物外壁の接合具は、ガルバリウム鋼板によって形成されていることを特徴とする請求項１〜４のいずれかに記載の建物外壁の接合具。
【請求項６】
第１の方向に延びる第１ボード片と第２の方向に延びる第２ボード片とが交差された状態で配置されるコーナー部用サイディングボードと、上記第１ボード片の端部に第１目地を介して接合される第１平面部用サイディングボードと、上記第２ボード片の端部に第２目地を介して接合される第２平面部用サイディングボードと、を建物の出隅に配置されるコーナー部用下地材の外面に取り付ける場合に使用される建物外壁の接合構造であって、
上記第１の方向と第２の方向のそれぞれの突合わせ端の内方に所定深さのしゃくり溝形状の凹部が形成されたコーナー部用サイディングボードと、
上記コーナー部用サイディングボードの第１目地側の凹部を有する突合わせ端と対向する位置に平坦な突合わせ端を有して上記凹部との間で第１受入れ凹部を形成する第１平面部用サイディングボードと、
上記コーナー部用サイディングボードの第２目地側の凹部を有する突合わせ端と対向する位置に平坦な突合わせ端を有して上記凹部との間で第２受入れ凹部を形成する第２平面部用サイディングボードと、
上記第１受入れ凹部に配置される第１嵌合凸部と、上記第２受入れ凹部に配置される第２嵌合凸部と、コーナー部用下地材の第１の方向に沿う第１側面と第２の方向に沿う第２側面とに沿って配置される出隅用取付け座板と、を有する建物外壁の接合具と、
上記第１受入れ凹部と第１嵌合凸部との間と、上記第２受入れ凹部と第２嵌合凸部との間と、に形成されるそれぞれの空間に圧縮状態で収容される止水材と、を備え、
上記建物外壁の接合具は、上記請求項１または３〜５のいずれかに記載の建物外壁の接合具であることを特徴とする建物外壁の接合構造。
【請求項７】
第１の方向に延びる第１平面部用サイディングボードと、第２の方向に延びる第２平面部用サイディングボードを、それぞれの端部に形成される第３目地を介して交差させた状態で建物の入隅に配置されるコーナー部用下地材から上記第１の方向に延びている第１補助下地材と上記第２の方向に延びている第２補助下地材のそれぞれの外面に取り付ける場合に使用される建物外壁の接合構造であって、
上記第１の方向の突合わせ端の内方に所定深さのしゃくり溝形状の凹部が形成された第１平面部用サイディングボードと、
上記第１平面部用サイディングボードの凹部を有する突合わせ端と対向する位置に平坦な接合面を有し、該接合面と上記凹部との間で第３受入れ凹部を形成する第２平面部用サイディングボードと、
上記第３受入れ凹部に配置される第３嵌合凸部と、上記第１補助下地材の外面と上記第２補助下地材の外面に沿って配置される入隅用取付け座板と、を有する建物外壁の接合具と、
上記第３受入れ凹部と第３嵌合凸部との間に形成される空間に圧縮状態で収容される止水材と、を備え、
上記建物外壁の接合具は、上記請求項２〜５のいずれかに記載の建物の接合具であることを特徴とする建物外壁の接合構造。
【請求項８】
上記止水材は、圧縮状態で強い止水性を発揮し、適度な吸水性を備える合成ゴム系または合成樹脂系の弾性発泡体によって形成されていることを特徴とする請求項６または７記載の建物外壁の接合構造。
【請求項９】
上記止水材は、エチレン・プロピレン・ジエンゴム（ＥＰＤＭ）を主成分とする半独立半連続気泡型の合成ゴム発泡体によって形成されていることを特徴とする請求項８記載の建物外壁の接合構造。
【請求項１０】
請求項６または８、９のいずれかに記載の建築外壁の接合構造を使用して建築構造躯体の出隅にサイディングボードを使用した外壁工事を行う場合に実行される建物外壁の接合方法であって、
外壁工事を行う建築構造躯体の出隅部に位置するコーナー部用下地材の第１の方向に延びる第１側面と第２の方向に延びる第２側面に沿うように直接または補助躯体を介在させた状態で出隅用取付け座板を宛がって建物外壁の接合具を取り付ける接合具設置工程と、
上記第１嵌合凸部と第２嵌合凸部を有しない上記出隅用取付け座板の残りの位置に固定金具を取り付ける固定金具設置工程と、
上記建物外壁の接合具の第１嵌合凸部と第２嵌合凸部をくるむように止水材を宛がって被覆する止水材設置工程と、
上記止水材で被覆した第１嵌合凸部と第２嵌合凸部に対して、それぞれ第１受入れ凹部と第２受入れ凹部を嵌め込んで上記止水材を圧縮させた状態とし、上記固定金具を利用してコーナー部用サイディングボードと第１平面部用サイディングボードと第２平面部用サイディングボードとを取り付けるサイディングボード設置工程と、を具備していることを特徴とする建物外壁の接合方法。
【請求項１１】
請求項７〜９のいずれかに記載の建物外壁の接合構造を使用して建築構造躯体の入隅にサイディングボードを使用した外壁工事を行う場合に実行される建物外壁の接合方法であって、
外壁工事を行う建築構造躯体の入隅部に位置するコーナー部用下地材から第１の方向に延びている第１補助下地材の外面と第２の方向に延びている第２補助下地材の外面に沿うように直接または補助躯体を介在させた状態で入隅用取付け座板を宛がって建物外壁の接合具を取り付ける接合具設置工程と、
上記第３嵌合凸部を有しない上記入隅用取付け座板の残りの位置に固定金具を取り付ける固定金具設置工程と、
上記建物外壁の接合具の第３嵌合凸部をくるむように止水材を宛がって被覆する止水材設置工程と、
上記止水材で被覆した第３嵌合凸部に対して、第３受入れ凹部を嵌め込んで上記止水材を圧縮させた状態とし、上記固定金具を利用して第１平面部用サイディングボードと第２平面部用サイディングボードとを取り付けるサイディングボード設置工程と、を具備していることを特徴とする建物外壁の接合方法。
【発明の詳細な説明】
【技術分野】
【０００１】
本発明は、建物の出隅や入隅の外壁工事において、外壁材として使用されるサイディングボードをシーリング材無しで接合する、いわゆるシーリングレス工法において使用できる建物外壁の接合具、該接合具を備えた建物外壁の接合構造及び該接合構造を構築する際に実行される建物外壁の接合方法に関する。
【背景技術】
【０００２】
建物の外壁工事等を行う場合には、下記の特許文献１に開示されているようなサイディングボードが広く使用されている。サイディングボードとしては多種のデザイン、質感、色のものが用意されており、また、建築構造躯体の壁面部を外装するのに使用される平面部用サイディングボードの他、建築構造躯体の出隅と入隅を含むコーナー部を外装するのに使用されるコーナー部用のサイディングボードがある。
そして、このようなサイディングボードを使用して建物の外壁工事等を行う場合には、隣り合うサイディングボード間にできる隙間（目地）にシーリング材を充填してサイディングボードを接合する下記の特許文献１に示すようなシーリング工法が従来から多く行われている。しかし、近時は施工のやり易さと施工後の建物外壁の外観品質が良いことが注目されて、上記目地部分の内方に専用の接合金物を取り付けることで止水性を高めてサイディングボードをシーリング材無しで接合する、シーリングレス工法が主流になってきている。
【０００３】
また、上記目地部分に取り付けられる接合金物の一例として図７に示すようにハット型の形状をした「ハット型ジョイナー」と呼ばれている接合金物１０３がある（下記特許文献１の図８にも開示されている）。そして、この接合金物１０３は、接合するサイディングボード１０１、１０２の突合わせ部の内方に「しゃくり」と呼ばれる凹部１０４を形成し、該凹部１０４を利用して取り付けられる。
具体的には、図７に示すように上記凹部１０４に嵌まる内部に通気口１０５が形成された嵌合凸部１０６と、木材下地１０７等を介して建築構造躯体１０８の表面側の壁面部に取り付けられる取付け座板１０９と、を一体に形成することによってこの接合金物１０３は構成されている。そして、建物の出隅や入隅では、二枚の平面部用サイディングボードと一枚のコーナー部用サイディングボードとが接合されるため構造上極めて接近した位置に目地部分が複数でき、これら複数の目地部分ごとに複数の接合金物１０３が各別に使用されていた。
【先行技術文献】
【特許文献】
【０００４】
【特許文献１】特開平１１−３１１０１０号公報
【発明の概要】
【発明が解決しようとする課題】
【０００５】
このように、建物の出隅や入隅の外壁工事では、構造上複数存在する目地部分が極めて接近した位置に存在しているにも拘わらず各目地ごとに複数の接合金物を個別に使用して複数回、接合金物の手間のかかる取付け作業を行わなければならなかった。
また、上述したシーリングレス工法では、施工が比較的容易で施工後の建物外壁の外観が優れる反面、建物内への雨水等の浸入が問題になる。そして、サイディングボードの内側に雨水等が浸入して木材下地に達し、その内部の建築構造躯体に染み込んだ場合には建築構造躯体に大きなダメージを与えることから、上記目地部分には高い止水性が常に求められている。
【０００６】
本発明はこのような点に基づいてなされたもので、その目的とするところは施工が容易で施工後の外観に優れるシーリングレス工法に対応でき、特に建物の出隅と入隅での外壁工事における作業性の向上と目地部分の止水性の向上とを図ることができる、安価で施工が容易で部品点数の少ない建物外壁の接合具、該接合具を備えた建物外壁の接合構造及び該接合構造を構築する際に実行される建物外壁の接合方法を提供することにある。
【課題を解決するための手段】
【０００７】
上記目的を達成すべく本発明の請求項１による建物外壁の接合具は、第１の方向に延びる第１ボード片と第２の方向に延びる第２ボード片とが交差された状態で配置されるコーナー部用サイディングボードと、上記第１ボード片の端部に第１目地を介して接合される第１平面部用サイディングボードと、上記第２ボード片の端部に第２目地を介して接合される第２平面部用サイディングボードと、を建物の出隅に配置されるコーナー部用下地材の外面に取り付ける場合に使用される建物外壁の接合具であって、上記第１目地の内方に形成される第１受入れ凹部に対して、少なくともその一部が入り込んだ状態で配置される第１嵌合凸部と、上記第２目地の内方に形成される第２受入れ凹部に対して、少なくともその一部が入り込んだ状態で配置される第２嵌合凸部と、上記第１目地と対向するコーナー部用下地材の第１側面に沿うように配置される第１翼板と、上記第２目地と対向するコーナー部用下地材の第２側面に沿うように配置される第２翼板と、が山折れ状態でＬ字状に屈曲されて連結されている出隅用取付け座板と、を備え、上記第１嵌合凸部と第２嵌合凸部と出隅用取付け座板は一体部材によって構成されていることを特徴とするものである。
【０００８】
また、請求項２による建物外壁の接合具は、第１の方向に延びる第１平面部用サイディングボードと第２の方向に延びる第２平面部用サイディングボードを、それぞれの端部に形成される第３目地を介して交差させた状態で建物の入隅に配置されるコーナー部用下地材から上記第１の方向に延びている第１補助下地材と上記第２の方向に延びている第２補助下地材のそれぞれの外面に取り付ける場合に使用される建物外壁の接合具であって、上記第３目地の内方に形成される第３受入れ凹部に対して、少なくともその一部が入り込んだ状態で配置される第３嵌合凸部と、上記第１補助下地材の外面に沿うように配置される第１翼板と、上記第２補助下地材の外面に沿うように配置される第２翼板と、が谷折れ状態でＬ字状に屈曲されて連結されている入隅用取付け座板と、を備え、上記第３嵌合凸部と入隅用取付け座板は一体部材によって構成されていることを特徴とするものである。
【０００９】
また、請求項３による建物外壁の接合具は、請求項１または２記載の建物外壁の接合具において、上記第１嵌合凸部及び第２嵌合凸部と第３嵌合凸部は、上記出隅用取付け座板または上記入隅用取付け座板と同じ単一の板状部材をコ字状に折り曲げることによって形成されていて、上記コの字状に折り曲げられた第１嵌合凸部及び第２嵌合凸部と第３嵌合凸部のそれぞれの外方には上記第１受入れ凹部及び第２受入れ凹部との間または第３受入れ凹部との間に止水材を配置するための空間が形成されていることを特徴とするものである。
【００１０】
また、請求項４による建物外壁の接合具は、請求項３記載の建物外壁の接合具において、上記空間は、配置する前の上記止水材の厚さよりも小さめに形成されており、上記止水材を配置するときに該止水材が圧縮された状態で収容される大きさに形成されていることを特徴とするものである。
【００１１】
また、請求項５による建物外壁の接合具は、請求項１〜４のいずれかの記載の建物外壁の接合具において、上記建物外壁の接合具は、ガルバリウム鋼板によって形成されていることを特徴とするものである。
【００１２】
また、請求項６による建物外壁の接合構造は、第１の方向に延びる第１ボード片と第２の方向に延びる第２ボード片とが交差された状態で配置されるコーナー部用サイディングボードと、上記第１ボード片の端部に第１目地を介して接合される第１平面部用サイディングボードと、上記第２ボード片の端部に第２目地を介して接合される第２平面部用サイディングボードと、を建物の出隅に配置されるコーナー部用下地材の外面に取り付ける場合に使用される建物外壁の接合構造であって、上記第１の方向と第２の方向のそれぞれの突合わせ端の内方に所定深さのしゃくり溝形状の凹部が形成されたコーナー部用サイディングボードと、上記第１目地側のコーナー部用サイディングボードの凹部を有する突合わせ端と対向する位置に平坦な突合わせ端を有して上記凹部との間で第１受入れ凹部を形成する第１平面部用サイディングボードと、上記コーナー部用サイディングボードの第２目地側の凹部を有する突合わせ端と対向する位置に平坦な突合わせ端を有して上記凹部との間で第２受入れ凹部を形成する第２平面部用サイディングボードと、上記第１受入れ凹部に配置される第１嵌合凸部と、上記第２受入れ凹部に配置される第２嵌合凸部と、コーナー部用下地材の第１の方向に沿う第１側面と第２の方向に沿う第２側面とに沿って配置される出隅用取付け座板と、を有する建物外壁の接合具と、上記第１受入れ凹部と第１嵌合凸部との間と、上記第２受入れ凹部と第２嵌合凸部との間と、に形成されるそれぞれの空間に圧縮状態で収容される止水材と、を備え、上記建物外壁の接合具は、上記請求項１または３〜５のいずれかに記載の建物外壁の接合具であることを特徴とするものである。
【００１３】
また、請求項７による建物外壁の接合構造は、第１の方向に延びる第１平面部用サイディングボードと、第２の方向に延びる第２平面部用サイディングボードを、それぞれの端部に形成される第３目地を介して交差させた状態で建物の入隅に配置されるコーナー部用下地材から上記第１の方向に延びている第１補助下地材と上記第２の方向に延びている第２補助下地材のそれぞれの外面に取り付ける場合に使用される建物外壁の接合構造であって、上記第１の方向の突合わせ端の内方に所定深さのしゃくり溝形状の凹部が形成された第１平面部用サイディングボードと、上記第１平面部用サイディングボードの凹部を有する突合わせ端と対向する位置に平坦な接合面を有し、該接合面と上記凹部との間で第３受入れ凹部を形成する第２平面部用サイディングボードと、上記第３受入れ凹部に配置される第３嵌合凸部と、上記第１補助下地材の外面と上記第２補助下地材の外面に沿って配置される入隅用取付け座板と、を有する建物外壁の接合具と、上記第３受入れ凹部と第３嵌合凸部との間に形成される空間に圧縮状態で収容される止水材と、を備え、上記建物外壁の接合具は、上記請求項２〜５のいずれかに記載の建物の接合具であることを特徴とするものである。
【００１４】
また、請求項８による建物外壁の接合構造は、請求項６または７記載の建物外壁の接合構造において、上記止水材は、圧縮状態で強い止水性を発揮し、適度な吸水性を備える合成ゴム系または合成樹脂系の弾性発泡体によって形成されていることを特徴とするものである。
【００１５】
また、請求項９による建物外壁の接合構造は、請求項８記載の建物外壁の接合構造において、記止水材は、エチレン・プロピレン・ジエンゴム（ＥＰＤＭ）を主成分とする半独立半連続気泡型の合成ゴム発泡体によって形成されていることを特徴とするものである。
【００１６】
また、本発明の請求項１０による建物外壁の接合方法は、請求項６または８、９のいずれかに記載の建築外壁の接合構造を使用して建築構造躯体の出隅にサイディングボードを使用した外壁工事を行う場合に実行される建物外壁の接合方法であって、外壁工事を行う建築構造躯体の出隅部に位置するコーナー部用下地材の第１の方向に延びる第１側面と第２の方向に延びる第２側面に沿うように直接または補助躯体を介在させた状態で出隅用取付け座板を宛がって建物外壁の接合具を取り付ける接合具設置工程と、上記第１嵌合凸部と第２嵌合凸部を有しない上記出隅用取付け座板の中間位置に固定金具を取り付ける固定金具設置工程と、上記建物外壁の接合具の第１嵌合凸部と第２嵌合凸部をくるむように止水材を宛がって被覆する止水材設置工程と、上記止水材で被覆した第１嵌合凸部と第２嵌合凸部に対して、それぞれ第１受入れ凹部と第２受入れ凹部を嵌め込んで上記止水材を圧縮させた状態とし、上記固定金具を利用してコーナー部用サイディングボードと第１平面部用サイディングボードと第２平面部用サイディングボードとを取り付けるサイディングボード設置工程と、を具備していることを特徴とするものである。
【００１７】
また、請求項１１による建物外壁の接合方法は、請求項７〜９のいずれかに記載の建物外壁の接合構造を使用して建築構造躯体の入隅にサイディングボードを使用した外壁工事を行う場合に実行される建物外壁の接合方法であって、外壁工事を行う建築構造躯体の入隅部に位置するコーナー部用下地材からの第１の方向に延びている第１補助下地材の外面と第２の方向に延びている第２補助下地材の外面に沿うように直接または補助躯体を介した状態で入隅用取付け座板を宛がって建物外壁の接合具を取り付ける接合具設置工程と、上記第３嵌合凸部を有しない上記入隅用取付け座板の残りの位置に固定金具を取り付ける固定金具設置工程と、上記建物外壁の接合具の第３嵌合凸部をくるむように止水材を宛がって被覆する止水材設置工程と、上記止水材で被覆した第３嵌合凸部に対して、第３受入れ凹部を嵌め込んで上記止水材を圧縮させた状態とし、上記固定金具を利用して第１平面部用サイディングボードと第２平面部用サイディングボードとを取り付けるサイディングボード設置工程と、を具備していることを特徴とするものである。
【発明の効果】
【００１８】
そして、上記手段によって以下のような効果が得られる。即ち、本発明の建物外壁の接合具によると、接合部の表面に凹部や隙間が出ないサイディングボードが使用できるから、建物の出隅または入隅の外壁工事に際してサイディングボードをシーリング材無しで接合するシーリングレス工法が適用できる。また、コーナー部用下地材の二つの側面や第１補助下地材と第２補助下地材の二つの外面に跨る大型の取付け座板を設けたことによって建物の接合具の取付け強度が向上し、取付け作業も容易になる。
また、上記取付け座板に対して複数の嵌合凸部を設けた場合には、極めて接近した位置に存している目地部分の接合作業を単一の建物の接合具を使用して一挙に行うことが可能になり、部品点数及び取付け工数の削減を図ることができる。
【００１９】
また、上記建物の接合具を単一の板状部材を折り曲げることによって形成した場合には成形容易で安価な建物の接合具を提供できるようになる。特にガルバリウム鋼板等、成形容易で安価な材料を使用して建物の接合具を形成した場合には一層の部品コストの削減が図られる。
また、嵌合凸部と受入れ凹部との間に止水材を圧縮状態で配置するための所定の大きさの空間を形成した場合には、該空間を利用して止水材を圧縮状態で設置できるから、止水材による止水性が向上してサイディングボードの目地部分から浸入する雨水等が建物内部に浸入する虞を低減させることができる。
【００２０】
また、本発明の建物外壁の接合構造によると、上記嵌合凸部と取付け座板を一体化した建物外壁の接合具と、サイディングボードの目地部分の内方に形成した受入れ凹部と、上記止水材と、を組み合わせた構成によって、施工が容易で施工後の建物の外観が優れるシーリングレス工法を建物の出隅または入隅の外壁工事に適用して止水性に優れる外壁を低コストかつ短期間で施工することが可能になる。
また、止水材の材料として圧縮状態で強い止水性を発揮し、適度な吸水性を備える合成ゴム系または合成樹脂系の弾性発泡体、例えばエチレン・プロピレン・ジエンゴム（ＥＰＤＭ）を主成分とする半独立半連続気泡型の合成ゴム発泡体を採用した場合には止水性が一層向上し、建物内部への雨水等の浸入をくい止める他、止水材中に浸入した雨水等を桶状の空間に導き、その下端の排水口から外部に排出する作用も得られるようになる。
【００２１】
また、本発明の建物外壁の接合方法によると、基本的に接合具設置工程と、固定金具設置工程と、止水材設置工程と、サイディングボード設置工程の４工程によって建物の出隅と入隅でのサイディングボードの接合を行うことができるから、従来のシーリング工法において設けられていた面倒なシーリング材の充填工程が不要になり、建物の出隅と入隅での外壁工事の施工性が向上する。また、シーリングレス工法に対応できるから施工後の建物外壁の外観品質が良好であり、上記嵌合凸部と受入れ凹部と圧縮状態で設けられる止水材との組み合わせにより建物外壁の止水性が大幅に向上する。
また、建物の出隅または入隅において複数の目地部分を有している外壁工事に際しても複数の嵌合凸部と取付け座板が一体化された建物外壁の接合具を使用することで作業工数を削減して作業時間の短縮を図ることができるようになる。
【図面の簡単な説明】
【００２２】
【図１】本発明の第１の実施の形態を示す図で、本発明の建物外壁の接合構造を適用した建物の一部を示す斜視図である。
【図２】本発明の第１の実施の形態を示す図で、本発明の建物外壁の接合構造を適用した建物外壁の一部を示す側断面図である。
【図３】本発明の第１の実施の形態を示す図で、本発明の建物外壁の接合構造を示す平断面図である。
【図４】本発明の第２の実施の形態を示す図で、本発明の建物外壁の接合構造を示す平断面図である。
【図５】本発明の第３の実施の形態を示す図で、本発明の建物外壁の接合方法を示すブロック図である。
【図６】平面部に適用する建物外壁の接合構造の一例を示す平断面図である。
【図７】従来例を示す図で、従来の建物外壁の接合構造の一例を示す平断面図である。
【発明を実施するための形態】
【００２３】
以下、図１〜図３に示す第１の実施の形態と、図４に示す第２の実施の形態と、図５に示す第３の実施の形態の三つの実施の形態を例にとって、本発明の建物外壁の接合具、該建物外壁の接合具を備えた建物外壁の接合構造、該建物外壁の接合構造を構築する際に実行される建物外壁の接合方法の内容を具体的に説明する。
尚、以下の説明では、建物の出隅に適用する第１の実施の形態を例にとって、本発明の建物外壁の接合具と、該建物外壁の接合具を備えた本発明の建物外壁の接合構造の具体的構成とその作用について説明する。また、第２の実施の形態では、建物の入隅に適用する上記第１の実施の形態とは構成を異にする建物外壁の接合具と該建物外壁の接合具を備える建物外壁の接合構造の構成とその作用を上記第１の実施の形態との差異を踏まえて説明する。
【００２４】
また、第３の実施の形態では、本発明の建物外壁の接合方法を、上記図１〜図３に示す第１の実施の形態の建物外壁の接合構造を構築する場合を例にとって最初に説明し、その後、上記図４に示す第２の実施の形態の建物外壁の接合構造を構築する場合について、上記態様との差異を踏まえて説明する。
更に、他の実施の形態では、上記三つの実施の形態と部分的構成を異にする建物外壁の接合具と建物外壁の接合構造の構成に言及する。
【００２５】
（１）第１の実施の形態（図１〜図３参照）
（Ａ）建物外壁の接合具の構成
本実施の形態による建物外壁の接合具１Ａは、第１の方向Ａに延びる第１ボード片６Ａと第２の方向Ｂに延びる第２ボード片６Ｂとが交差されＬ字状に屈曲された状態で配置されるコーナー部用サイディングボード２Ｃと、上記第１ボード片６Ａの端部に第１目地３Ａを介して接合される第１平面部用サイディングボード２Ａと、上記第２ボード片６Ｂの端部に第２目地３Ｂを介して接合される第２平面用サイディングボード２Ｂと、を建物１２の出隅１５ａに配置されるコーナー部用下地材２０の外面となる第１側面２０ａと第２側面２０ｂとに取り付ける場合に使用される建物外壁の接合具である。
【００２６】
具体的には、建物外壁の接合具１Ａは、上記第１目地３Ａの内方に形成される第１受入れ凹部４Ａに対して、少なくともその一部が入り込んだ状態で配置される第１嵌合凸部５Ａと、上記第２目地３Ｂの内方に形成される第２受入れ凹部４Ｂに対して、少なくともその一部が入り込んだ状態で配置される第２嵌合凸部５Ｂと、上記第１目地３Ａと対向するコーナー部用下地材２０の第１側面２０ａに沿うように配置される第１翼板１０ａと、上記第２目地３Ｂと対向するコーナー部用下地材２０の第２側面２０ｂに沿うように配置される第２翼板１０ｂと、が山折れ状態でＬ字状に屈曲されて連結されている出隅用取付け座板１０Ａと、を備えることによって基本的に構成されている。
【００２７】
また、本実施の形態では上記第１嵌合凸部５Ａと第２嵌合凸部５Ｂと出隅用取付け座板１０Ａは一体部材によって構成されており、一例として一枚のガルバリウム鋼板を折り曲げて上記第１嵌合凸部５Ａと第２嵌合凸部５Ｂと出隅用取付け座板１０Ａとがそれぞれ形成されている。
このうち、第１嵌合凸部５Ａと第２嵌合凸部５Ｂは、上記出隅用取付け座板１０Ａと同じ単一の板状部材である上記ガルバリウム鋼板をコの字状に折り曲げることによって形成されている。
【００２８】
そして、コの字状に折り曲げられた第１嵌合凸部５Ａと第２嵌合凸部５Ｂの外方には上記第１受入れ凹部４Ａと第２受入れ凹部４Ｂとの間に後述する止水材２３を配置するための平面視コの字状をした空間２７が形成されている。また、第１嵌合凸部５Ａと第２嵌合凸部５Ｂの内方にも矩形断面の桶状の空間が形成されており、この空間は通気口等として使用される。
【００２９】
また、第１嵌合凸部５Ａと第２嵌合凸部５Ｂの外方に形成される空間２７は、配置する前の止水材２３の厚さよりも小さめに形成されており、上記止水材２３を配置するときに当該止水材２３が圧縮された状態で収容される大きさに形成されている。
また、出隅用取付け座板１０の第１翼板１０ａの第１の方向Ａの長さ（幅寸法）は、本実施の形態では、コーナー部用下地材２０の第１側面２０ａの第１の方向Ａの長さ（幅寸法）と同程度の長さになるように一例として設定されている。同様に第２翼板１０ｂの第２の方向Ｂの長さ  （幅寸法）は、本実施の形態では、コーナー部用下地材２０の第２側面２０ｂの第２の方向Ｂの長さ（幅寸法）と同程度の長さになるように一例として設定されている。
【００３０】
また、上記出隅用取付け座板１０Ａには、当該建物外壁の接合具１Ａを建築構造躯体７の一部である上記コーナー部用下地材２０となる柱材や中間部材となる補助躯体８、８等にビス１７で取り付けるための図示しない取付け穴が形成されている。
（Ｂ）建物外壁の接合構造の構成
本実施の形態による建物外壁の接合構造１１Ａは、上述した建物外壁の接合具１Ａを使用して、上述した３種類のサイディングボード２Ａ、２Ｂ、２Ｃを建物１２の出隅１５ａに設置する場合に使用される建物外壁の接合構造である。
【００３１】
具体的には、建物外壁の接合構造１１Ａは、第１の方向Ａと第２の方向Ｂのそれぞれの突合わせ端２８Ｃ、２８Ｃの内方に所定深さのしゃくり溝形状の凹部２９Ｃ、２９Ｃが形成されたコーナー部用サイディングボード２Ｃと、上記コーナー部用サイディングボード２Ｃの第１目地３Ａ側の凹部２９Ｃを有する突合わせ端２８Ｃと対向する位置に平坦な突合わせ端２８Ａを有して上記凹部２９Ｃとの間で第１受入れ凹部４Ａを形成する第１平面部用サイディングボード２Ａと、上記コーナー部用サイディングボード２Ｃの第２目地３Ｂ側の凹部２９Ｃを有する突合わせ端２８Ｃと対向する位置に平坦な突合わせ端２８Ｂを有して上記凹部２９Ｃとの間で第２受入れ凹部４Ｂを形成する第２平面部用サイディングボード２Ｂと、上記建物外壁の接合具１Ａと、上記第１受入れ凹部４Ａと第１嵌合凸部５Ａとの間と、上記第２受入れ凹部４Ｂと第２嵌合凸部５Ｂとの間と、に形成されるそれぞれの空間２７、２７に圧縮状態で収容される止水材２３と、を備えることによって基本的に構成されている。
【００３２】
コーナー部用サイディングボード２Ｃと第１平面部用サイディングボード２Ａと第２平面部用サイディングボード２Ｂの厚さは一例として１４ｍｍないし２１ｍｍである。また、コーナー部用サイディングボード２Ｃの第１の方向Ａと第２の方向Ｂの長さ（幅寸法）は、コーナー部用下地材２０となる柱材の第１の方向Ａと第２の方向Ｂの長さ（幅寸法）よりも幾分短めに設定されており、これに伴ってコーナー部用下地材２０の上記第１側面２０ａと第２側面２０ｂの対向位置に上述した第１目地３Ａと第２目地３Ｂがそれぞれ位置するように構成されている。
第１平面部用サイディングボード２Ａの第１の方向Ａの長さ（幅寸法）と、第２平面部用サイディングボード２Ｂの第２の方向Ｂの長さ(幅寸法)は、当該コーナー部用サイディングボード２Ｃを起点として設置する場合には、予め裁断されている所定の寸法になるが、当該コーナー部用サイディングボード２Ｃを終点として設置する場合には、現場合わせで裁断した適宜の寸法になる。
【００３３】
また、コーナー部用サイディングボード２Ｃの両端の突合わせ端２８Ｃに形成される凹部２９Ｃ、２９Ｃの寸法は、上述した建物外壁の接合具１Ａにおける第１嵌合凸部５Ａと第２嵌合凸部５Ｂの大きさと止水材２３の厚さを勘案した所定の寸法になり、上述したように止水材２３を圧縮状態で収容し得る寸法に設定される。
止水材２３としては圧縮状態で強い止水性を発揮し適度な吸水性を備える合成ゴム系または合成樹脂系の弾性発泡体が採用でき、好適な材料としてエチレン・プロピレン・ジエンゴム（ＥＰＤＭ）を主成分とする半独立半連続気泡型の合成ゴム発泡体である日東電工株式会社製造の半独立半連続気泡型の商品名「エプトシーラー」が適用できる。また、合成樹脂系の弾性発泡体としては、株式会社東洋クオリティワン製造の機能性シーリングフォーム（ポリエーテル系ポリウレタンフォーム（ＰＵＦ））である商品名「グリーンシール」が一例として適用可能である。
【００３４】
この他、本実施の形態では上記出隅用取付け座板１０Ａのうち第１嵌合凸部５Ａと第２嵌合凸部５Ｂを有しない残りのスペースを利用して、上記コーナー部用サイディングボード２Ｃを支持するための固定金具９が２個と、上記第１平面部用サイディングボード２Ａの第１目地３Ａ寄りの端部を支持するための固定金具９が１個と、上記第２平面部用サイディングボード２Ｂの第２目地３Ｂ寄りの端部を支持するための固定金具９が１個の計４個の固定金具９が中間部材として設けられている。
【００３５】
また、上記コーナー部用下地材２０の第１側面２０ａと第２側面２０ｂに対してそれぞれ１個ずつ、該第１側面２０ａと第２側面２０ｂとほぼ同じ寸法の補助躯体８が中間部材として設けられている。
更に、本実施の形態では上記コーナー部用下地材２０と上記二つの補助躯体８、８との間に透湿防水シート２５を貼設している。透湿防水シート２５は、液体である水は通さないが気体である水蒸気（湿気）や乾いた空気を通す性質を有するシートである。
因みに、透湿防水シート２５としては、日本工業規格ＪＩＳＡ６１１１で規定されている厚さ０．１〜０．５ｍｍ程度のポリエチレン製の不織布シートが一例として適用可能である。
【００３６】
また、上記第１平面部用サイディングボード２Ａの第１の方向Ａの端部には図６に示すように他の平面部用サイディングボード２Ｄが接合され、上記第２平面部用サイディングボード２Ｂの第２の方向Ｂの端部にも図示しない他の平面部用サイディングボードが接合される。
そして、これらの接合部にも上述した第１目地３Ａと第２目地３Ｂに対して設けたのと同様のしゃくり溝形状の凹部２９Ｄと他の平面部用サイディングボード２Ｄの平坦な突合わせ端２８Ｄとによって受入れ凹部４Ｄが形成でき、該受入れ凹部４Ｄに嵌まる嵌合凸部５Ｄと長さが短めの取付け座板１０Ｄとを備えた、図６に示すような形状の別途の建物外壁の接合具３０を設置することが可能である。尚、平面部の目地３Ｄに適用する建物外壁の接合具３０としては、図７に示すようなハット型の嵌合凸部１０６を有する接合金物１０３を適用することも可能である。
【００３７】
次に、このようにして構成される本実施の形態による建物外壁の接合具１Ａと建物外壁の接合構造１１Ａの作用と併せて、該建物外壁の接合構造１１Ａに雨水等が浸入した場合の雨水等の流れについて説明する。上記コーナー部用サイディングボード２Ｃと第１平面部用サイディングボード２Ａと第２平面部用サイディングボード２Ｂは、ほとんど隙間なく突き合わせられた状態で接合されている。しかし、第１目地３Ａと第２目地３Ｂにできる僅かな隙間からでも雨水等は各サイディングボード２Ｃ、２Ａ、２Ｂの内方空間に浸入する。
上記隙間を通って浸入した雨水等は、第１受入れ凹部４Ａと第２受入れ凹部４Ｂとに到達し、これらの受入れ凹部４Ａ、４Ｂに配置されている第１嵌合凸部５Ａと第２嵌合凸部５Ｂとの間に形成されている空間２７、２７に圧縮状態で収容されている止水材２３の表面に至る。
【００３８】
止水材２３は圧縮状態で配置されることによって極めて高い止水性を発揮するから、当該雨水等の更に内方への浸入は規制されている。また、止水材２３の表面に到達した雨水等の一部は止水材２３中に吸収され、該止水材２３中を長手方向Ｚの下方に向って流れ、上記空間２７の下端に設けられている図２に示す排水口３３から外部に排出される。
更に、上記止水材２３を通り貫けてサイディングボード２Ｃ、２Ａ、２Ｂと出隅用取付け座板１０Ａとの間の空間に仮に雨水等が浸入することがあっても、上記透湿防水シート２５によってコーナー部用下地材２０側への雨水等の浸入は防止されている。
【００３９】
また、本実施の形態によれば、接合部の表面に凹部や隙間が出ないサイディングボード２が使用できるから、建物１２の出隅１５ａの外壁工事に際してサイディングボード２をシーリング材無で接合するシーリングレス工法が適用できる。また、コーナー部用下地材２０の二つの側面２０ａ、２０ｂに跨るＬ字状をした大型の出隅用取付け座板１０Ａを設けたことによって建物の接合具１Ａの取付け強度が向上し、サイディングボード２の取付け作業も容易になる。
更に、上記出隅用取付け座板１０Ａに対して複数の嵌合凸部５Ａ、５Ｂを設けたことにより、極めて接近した位置に存している目地３Ａ、３Ｂ部分の接合作業を単一の建物外壁の接合具１Ａを使用して一挙に行うことが可能になり、部品点数及び取付け工数の削減を図ることができる。また、建物外壁の接合具１Ａは単一の板状部材を折り曲げることによって形成されているから、成形容易で安価な建物外壁の接合具を提供できるようになる。
【００４０】
（２）第２の実施の形態（図４参照）
（Ａ）建物外壁の接合具の構成
本実施の形態による建物外壁の接合具１Ｂは、第１の方向Ａに延びる第１平面部用サイディングボード２Ａと、第２の方向Ｂに延びる第２平面部用サイディングボード２Ｂを、それぞれの端部に形成される第３目地３Ｃを介してＬ字状に接合した状態で建物１２の入隅１５ｂに配置される建物外壁の接合具である。そして、図示の実施の形態では、建物１２の入隅１５ｂに配置されるコーナー部用下地材２０となる柱材から第１の方向Ａに延びている第１補助下地材２１と第２の方向Ｂに延びている第２補助下地材２２のそれぞれの外面に取り付ける場合に使用される建物外壁の接合具が図示されている。
【００４１】
具体的には、建物外壁の接合具１Ｂは、上記第３目地３Ｃの内方に形成される第３受入れ凹部４Ｃに対して少なくともその一部が入り込んだ状態で配置される第３嵌合凸部５Ｃと、上記第１補助下地材２１の外面に沿うように配置される第１翼板１０ａと、上記第２補助下地材２２の外面に沿うように配置される第２翼板１０ｂと、が谷折れ状態でＬ字状に屈曲されて連結されている入隅用取付け座板１０Ｂと、を備えることによって基本的に構成されている。
【００４２】
また、本実施の形態でも上記第１の実施の形態と同様、第３嵌合凸部５Ｃと入隅用取付け座板１０Ｂは一体部材によって構成されており、一例として一枚のガルバリウム鋼板を
折り曲げて上記第３嵌合凸部５Ｃと入隅用取付け座板１０Ｂとが形成されている。
このうち、第３嵌合凸部５Ｃは、上記入隅用取付け座板１０Ｂと同じ単一の板状部材である上記ガリバリウム鋼板をコの字状に折り曲げることによって形成されており、この空間は通気口等として使用される。
【００４３】
そして、コの字状に折り曲げられた第３嵌合凸部５Ｃの外方には上記第３受入れ凹部４Ｃとの間に止水材２３を配置するための平面視コの字状をした空間２７が形成されている。また、第３嵌合凸部５Ｃの内方にも矩形断面の桶状の空間が形成されている。
尚、第３嵌合凸部５Ｃの外方に形成される空間２７の大きさや該空間２７内に配置される止水材２３の収容状態は、上記第１の実施の形態で述べたものと同様である。また、入隅用取付け座板１０Ｂにも上記出隅用取付け座板１０Ａに設けられていたのと同様の図示しない取付け穴が形成されており、この取付け穴を利用してビス１７で上記第１補助下地材２１と第２補助下地材２２に対して直接、または図示の実施の形態のように中間部材となる補助躯体８、８を介在させて取り付けられている。
【００４４】
（Ｂ）建物外壁の接合構造の構成
本実施の形態による建物外壁の接合構造１１Ｂは、上述した建物外壁の接合具１Ｂを使用して、上述した２種類のサイディングボード２Ａ、２Ｂを建物１２の入隅１５ｂに設置する場合に使用される建物外壁の接合構造である。
具体的には、建物外壁の接合構造１１Ｂは、第１の方向Ａに突合わせ端２８Ａの内方に所定深さのしゃくり溝形状の凹部２９Ａが形成された第１平面部用サイディングボード２Ａと、上記第１平面用サイディングボード２Ａの凹部２９Ａを有する突合わせ端２８Ａと対向する位置に平坦な接合面を有し、該接合面と上記凹部２９Ａとの間で第３受入れ凹部４Ｃを形成する第２平面部用サイディングボード２Ｂと、上記建物外壁の接合具１Ｂと、上記第３受入れ凹部４Ｃと第３嵌合凸部５Ｃとの間に形成される空間２７に圧縮状態で収容される止水材２３と、を備えることによって基本的に構成されている。
【００４５】
尚、第１平面部用サイディングボード２Ａと第２平面部用サイディングボード２Ｂの厚さと長さ（幅寸法）は、上述した第１の実施の形態と同様であり、また、第１平面部用サイディングボード２Ａの突合わせ端２８Ａに形成される凹部２９Ａの寸法と止水材２３の使用例も、上述した第１の実施の形態で述べたものと同様である。
この他、本実施の形態でも上記第１の実施の形態と同様、上記入隅用取付け座板１０Ｂのうち第３嵌合凸部５Ｃを有しない残りのスペースを利用して、上記第１平面部用サイディングボード２Ａの第３目地３Ｃ寄りの端部を支持するための固定金具９が１個と、上記第２平面部用サイディングボード２Ｂの第３目地３Ｃ寄りの端部を支持するための固定金具９が１個の計２個の固定金具９が中間部材として設けられている。
【００４６】
また、上記第１補助下地材２１の外面と第２の補助下地材２２の外面に対してそれぞれ１個ずつ補助躯体８が中間部材として設けられており、該二つの補助躯体８、８の外面に対して建物外壁の接合具１Ｂが取り付けられる構成が採用されている。
更に、本実施の形態でも上記第１の実施の形態と同様、上記第１補助下地材２１及び第２補助下地材２２と上記二つの補助躯体８、８との間に透湿防水シート２５が貼設されている。透湿防水シート２５の構成と使用例は上述した第１の実施の形態で述べたものと同様である。
また、上記第１平面部用サイディングボード２Ａの第１の方向Ａの端部と、上記第２平面部用サイディングボード２Ｂの第２の方向Ｂの端部にも図示を省略するが上記第１の実施の形態で述べたものと同様の他の平面部用サイディングボードが接合され、これらの接合部には、上記第１の実施の形態で述べたものと同様の別途の建物外壁の接合具３０を設置することが可能である。
【００４７】
そして、このようにして構成される本実施の形態による建物外壁の接合具１Ｂと建物外壁の接合構造１１Ｂによっても、上述した第１の実施の形態と同様の止水性が発揮され、建物１２の入隅１５ｂの外壁工事に際して接合部の表面に凹部や隙間が出ないシーリングレス工法が適用できる。また、Ｌ字状に交差して配置された第１補助下地材２１と第２補助下地材２２に跨る同じく、Ｌ字状に交差にした大型の入隅用取付け座板１０Ｂを設けたことによって建物外壁の接合具１Ｂの取付け強度が向上し、サイディングボード２の取付け作業も容易になる。
更に、建物外壁の接合具１Ｂは上記第１の実施の形態と同様、単一の板状部材を折り曲げることによって形成されているから、成形容易で安価な建物外壁の接合具を提供できるようになる。
【００４８】
（３）第３の実施の形態（図５参照）
次に、上述した第１の実施の形態による建物外壁の接合構造１１Ａを使用して行う（Ａ）建物の出隅の外壁工事を行う場合と、上述した第２の実施の形態による建物外壁の接合構造１１Ｂを使用して行う（Ｂ）建物の入隅の外壁工事を行う場合と、に分けて本実施の形態による建物外壁の接合方法について具体的に説明する。
尚、ここで説明する建物外壁の接合方法は、サイディングボード２を使用して建物１２の出隅１５ａと入隅１５ｂでの外壁工事を行う際に実行されるサイディングボードの接合方法であり、シーリング材を使用しないシーリングレス工法に基づく建物外壁の接合方法である。
【００４９】
（Ａ）建物の出隅の外壁工事を行う場合（図３及び図５参照）
ここで説明する建物外壁の接合方法は、上述した第１の実施の形態よる建物外壁の接合構造１１Ａを使用して建築構造躯体７の出隅１５ａにサイディングボード２を使用した外壁工事を行う場合に実行される建物外壁の接合方法である。
具体的には、建物外壁の接合具１Ａを取り付ける接合具設置工程Ｐ２と、固定金具９を取り付ける固定金具設置工程Ｐ３と、止水材２３を空間２７に設置する止水材設置工程Ｐ４と、サイディングボード２を取り付けるサイディングボード設置工程Ｐ５との４つの工程を備えることによって本発明による建物外壁の接合方法は基本的に構成されている。
また、本実施の形態では、上記接合具設置工程Ｐ２の前工程として透湿防水シート２５を貼設する透湿防水シート貼設工程Ｐ１を備えた計５工程により建物外壁の接合方法が構成されている。以下、これらの工程を具体的に説明する。
【００５０】
＜透湿防水シート貼設工程＞
透湿防水シート貼設工程Ｐ１は、建築構造躯体７の表面に透湿防水シート２５を貼設する工程である。
即ち、本実施の形態では建築構造躯体７の出隅１５ａに位置するコーナー部用下地材２０となる柱材の第１側面２０ａと第２側面２０ｂを覆うように透湿防水シート２５を貼設する。
【００５１】
＜接合具設置工程＞
接合具設置工程Ｐ２は、上記コーナー部用下地材２０の第１の方向Ａに延びる第１側面２０ａと第２の方向Ｂに延びる第２側面２０ｂに沿うように二つの補助躯体８、８を介在させた状態で出隅用取付け座板１０Ａを宛がって建物外壁の接合具１Ａを取り付ける工程である。
即ち、コーナー部用下地材２０の第１側面２０ａと第２側面２０ｂに貼設した透湿防水シート２５上にそれぞれ補助躯体８、８を取り付け、これらの補助躯体８、８の外面に建物外壁の接合具１Ａにおける出隅用取付け座板２０Ａをビス１７等を使用して取り付ける。尚、上記建物外壁の接合具１Ａの取付け位置は、接合するサイディングボード２Ｃ、２Ａ、２Ｂに対して形成される第１受入れ凹部４Ａと第２受入れ凹部４Ｂの位置を想定し、これらの位置に第１嵌合凸部５Ａと第２嵌合凸部５Ｂがそれぞれ位置するように位置合わせして決定する。
【００５２】
＜固定金具設置工程＞
固定金具設置工程Ｐ３は、第１嵌合凸部５Ａと第２嵌合凸部５Ｂを有しない出隅用取付け座板１０Ａの残りの位置に固定金具９を取り付ける工程である。
即ち、本実施の形態では、第１嵌合凸部５Ａの左右に１個ずつと、第２嵌合凸部５Ｂの左右に１個ずつの計４個の固定部材９をビス等を使用して取り付ける。
【００５３】
＜止水材設置工程＞
止水材設置工程Ｐ４は、建物外壁の接合具１Ａの第１嵌合凸部５Ａと第２嵌合凸部５Ｂをくるむように止水材２３を宛がって被覆する工程である。
即ち、第１嵌合凸部５Ａと第２嵌合凸部５Ｂが有する外形形状に合わせてコの字状に折り曲げた状態で止水材２３を設置する。
【００５４】
＜サイディングボード設置工程＞
サイディングボード設置工程Ｐ５は、上記止水材２３で被覆した第１嵌合凸部５Ａと第２嵌合凸部５Ｂに対して、それぞれ第１受入れ凹部４Ａと第２受入れ凹部４Ｂを嵌め込んで上記止水材２３を圧縮させた状態とし、上記固定金具９を利用してコーナー部用サイディングボード２Ｃと第１平面部用サイディングボード２Ａと第２平面部用サイディングボード２Ｂとを取り付ける工程である。
この場合、上記三枚のサイディングボード２Ｃ、２Ａ、２Ｂの取付け位置は、建物外壁接合具１Ａにおける第１嵌合凸部５Ａと第２嵌合凸部５Ｂとによって概ね定まり、固定金具９との係止位置を調整することによって微調整する。そして、第１受入れ凹部４Ａと第２受入れ凹部４Ｂに対する第１嵌合凸部５Ａと第２嵌合凸部５Ｂの相対位置を左右対称位置にして止水材２３の圧縮状態が均等になるようにする。
【００５５】
そして、このようにして構成される本態様の建物外壁の接合方法によれば、従来のシーリング工法において設けられていた面倒なシーリング材の充填工程が不要になり、建物１２の出隅１５ａでの外壁工事の施工性が向上する。また、シーリングレス工法に対応できるから施工後の建物外壁１３の外観品質が良好であり、上記第１嵌合凸部５Ａ及び第１受入れ凹部４Ａと、第２嵌合凸部５Ｂ及び第２受入れ凹部４Ｂと、これらの空間２７に圧縮状態で収容される止水材２３と、の組み合わせにより建物外壁１３の止水性が大幅に向上する。
また、建物１２の出隅１５ａにおいて、複数の目地３Ａ、３Ｂ部分を有している外壁工事に際し、複数の嵌合凸部５Ａ、５Ｂと出隅用取付け座板１０Ａとが一体化された建物外壁の接合具１Ａを使用することで外壁工事の作業工数を削減して作業時間の短縮を図ることができる。
【００５６】
（Ｂ）建物の入隅の外壁工事を行う場合（図４及び図５参照）
ここで説明する建物外壁の接合方法は、上述した第２の実施の形態による建物外壁の接合構造１１Ｂを使用して建築構造躯体７の入隅１５ｂにサイディングボード２を使用した外壁工事を行う場合に実行される建物外壁の接合方法である。
具体的には上述した（Ａ）建物の出隅の外壁工事を行う場合と同様、接合具設置工程Ｐ２と、固定金具設置工程Ｐ３と、止水材設置工程Ｐ４と、サイディングボード設置工程Ｐ５との４つの工程を備えることによって建物外壁の接合方法は基本的に構成されており、本実施の形態ではこれに透湿防水シート貼設工程１を加えた計５工程で建物外壁の接合方法は構成されている。以下、これらの工程を具体的に説明する。
【００５７】
＜透湿防水シート貼設工程＞
透湿防水シート貼設工程Ｐ１は、建築構造躯体７の表面に透湿防水シート２５を貼設する工程である。
即ち、本実施の形態では、建築構造躯体７の入隅１５ｂに位置するコーナー部用下地材２０から第１の方向Ａに延びている第１補助下地材２１と第２の方向Ｂに延びている第２補助下地材２２の外面を覆うように透湿防水シート２５を貼設する。
【００５８】
＜接合具設置工程＞
接合具設置工程Ｐ２は、上記コーナー部用下地材２０から第１の方向Ａに延びている第１補助下地材２１の外面と第２の方向Ｂに延びている第２補助下地材２２の外面に沿うように補助躯体８を介在させた状態で入隅用取付け座板１０Ｂを宛がって建物外壁の接合具１Ｂを取り付ける工程である。
即ち、第１補助下地材２１と第２補助下地材２２の外面に貼設した透湿防水シート２５上にそれぞれ補助躯体８、８を取り付け、これらの補助躯体８、８の外面に建物外壁の接合具１Ｂにおける入隅用取付け座板２０Ｂをビス１７等を使用して取り付ける。尚、建物外壁の接合具１Ｂの取り付け位置の調整は上述した（Ａ）の建物の出隅の外壁工事を行う場合と同様に行う。
【００５９】
＜固定金具設置工程＞
固定金具設置工程Ｐ３は、第３嵌合凸部５Ｃを有しない入隅用取付け座板１０Ｂの残りの位置に固定金具９を取り付ける工程である。
即ち、本実施の形態では、第３嵌合凸部５Ｃから離れた入隅用取付け座板１０Ｂの両端部付近に１個ずつ、計２個の固定金具９をビス等を使用して取り付ける。
【００６０】
＜止水材設置工程＞
止水材設置工程Ｐ４は、建物外壁の接合具１Ｂの第３嵌合凸部５Ｃをくるむように止水材２３を宛がって被覆する工程である。
即ち、第３嵌合凸部５Ｃが有する外形形状に合わせてコの字状に折り曲げた状態で止水材２３を設置する。
【００６１】
＜サイディングボード設置工程＞
サイディングボード設置工程Ｐ５は、上記止水材２３で被覆した第３嵌合凸部５Ｃに対して、第３受入れ凹部４Ｃを嵌め込んで上記止水材２３を圧縮させた状態とし、上記固定金具９を利用して第１平面部用サイディングボード２Ａと第２平面部用サイディングボード２Ｂとを取り付ける工程である。
尚、この場合に行う二枚のサイディングボード２Ａ、２Ｂの取付け位置の調整は上述した（Ａ）の建物の出隅の外壁工事を行う場合と同様の手順で行う。
【００６２】
そして、このようにして構成される本態様の建物外壁の接合方法によっても、上述した（Ａ）の建物の出隅の外壁工事を行う場合と同様の作用、効果が発揮され、上記第３嵌合凸部５Ｃ及び第３受入れ凹部４Ｃと、これらの空間２７に圧縮状態で収容される止水材２３と、の組み合わせにより建物外壁１３の止水性が大幅に向上する。
【００６３】
（４）他の実施の形態
本発明の建物外壁の接合具１、建物外壁の接合構造１１及び建物外壁の接合方法は、上述した３つの実施の形態のものに限定されず、その説明の要旨内での変更が可能である。
例えば、建物１２の出隅１５ａや入隅１５ｂが湾曲した形状に形成されている場合には、当該形状に合わせて出隅用取付け座板１０Ａと入隅用取付け座板１０Ｂの形状を湾曲させた形状にすることが可能である。
同様に、建物１２の出隅１５ａや入隅１５ｂが９０°以外の角度で交差した形状に形成されている場合には、当該形状に合わせて出隅用取付け座板１０Ａと入隅用取付け座板１０Ｂの交差角度を調整した屈曲形状にすることが可能である。
また、上述した実施の形態において一部述べたように補助躯体８を省略して出隅用取付け座板１０Ａを直接、コーナー部用下地材２０に対して取り付けたり、入隅用取付け座板１０Ｂを直接、第１補助下地材２１と第２補助下地材２２に対して取り付けるように構成することも可能である。
【産業上の利用可能性】
【００６４】
本発明の建物外壁の接合具、建物外壁の接合構造及び建物外壁の接合方法は、建築物の外壁工事を行っている施行分野や該外壁工事で使用する建物外壁の接合具やサイディングボードの製造・使用分野等で利用でき、特に建物の出隅と入隅でのシーリングレス工法に対応でき、施工が容易で一層の止水性の向上が図りたい場合に利用可能性を有する。
【符号の説明】
【００６５】
１  建物外壁の接合具
２  サイディングボード
３  目地
４  受入れ凹部
５  嵌合凸部
６  ボード片
７  建築構造躯体
８  補助躯体（中間部材）
９  固定金具（中間部材）
１０  取付け座板
１０ａ  第１翼板
１０ｂ  第２翼板
１１  建物外壁の接合構造
１２  建物
１３  建物外壁
１５ａ  出隅
１５ｂ  入隅
１７  ビス
２０  コーナー部用下地材
２０ａ  第１側面
２０ｂ  第２側面
２１  第１補助下地材
２２  第２補助下地材
２３  止水材
２５  透湿防水シート
２７  空間
２８  突合わせ端
２９  凹部
３０  建物外壁の接合具
３３  排水口
Ａ  第１の方向
Ｂ  第２の方向
Ｐ１  透湿防水シート貼設工程
Ｐ２  接合具設置工程
Ｐ３  固定金具設置工程
Ｐ４  止水材設置工程
Ｐ５  サイディングボード設置工程
Ｚ  長手方向
【図１】
2018066169.tif 000003
【図２】
2018066169.tif 000004
【図３】
2018066169.tif 000005
【図４】
2018066169.tif 000006
【図５】
2018066169.tif 000007
【図６】
2018066169.tif 000008
【図７】
2018066169.tif 000009